(57)【要約】【課題】  文字や図形がボケた状態からクリアに視認できる状態へ、またその逆へとスムーズに移行する斬新な表示を、簡単な構造で実現した遊技機の表示装置を提供する。【解決手段】  一対の透光部材１，２を前後位置に設けて、対向する前側透光部材１の後面１ｂおよび後側透光部材２の前面２ａに、互いに合致する相補的形状の凹凸部３１，３２をそれぞれ形成する。両凹凸部３１，３２が合致する位置と両凹凸部３１，３２の合致が解消される位置との間で前側透光部材１を後側透光部材２に対して移動させるモータ４３を設けるとともに、後側透光部材２の後面２ｂに数字表示器５を設ける。【選択図】        図１
0003129904.tif 000002
【実用新案登録請求の範囲】
【請求項１】
一対の透光部材を前後位置に設けて、対向する前側透光部材の後面および後側透光部材の前面に、互いに合致する相補的形状の凹凸部をそれぞれ形成し、両凹凸部が合致する位置と両凹凸部の合致が解消される位置との間で前記透光部材の少なくとも一方を他方に対して移動させる駆動手段を設けるとともに、前記後側透光部材の後面ないしその後方に被視体を設けたことを特徴とする遊技機の表示装置。
【考案の詳細な説明】
【技術分野】
【０００１】
本考案は遊技機の表示装置に関し、特に、斬新な表示を簡易な構造で実現することができる表示装置に関する。
【背景技術】
【０００２】
遊技機の表示装置としては、特許文献１に示されたように、凹凸模様を付した第１透光体と第２透光体を、間隔をおいてランプの前方に配置し、両者の間隔を保って少なくとも一方の透光体を回転ないし直線移動させることによって動的図柄模様を表示するようにしたものがある（第１従来例）。また、特許文献２には、図柄表示器を遮蔽するシャッター手段を設け、大当たり図柄となる可能性がある場合にはシャッターを開けて遊技者の注目を引くようにしたものが示されている（第２従来例）。  
【特許文献１】特開平１１−３４２２３９
【特許文献２】特許第２９１２４３４
【考案の開示】
【考案が解決しようとする課題】
【０００３】
しかし、上記第１従来例は動的な図柄は視認できるものの、透光体の背後に文字や図形を置いた場合にこれらは常にボケた状態にあり、クリアに視認できるタイミングは無い。また、第２従来例では、文字や図形をクリアに視認できるタイミングはあるものの、これを機械的なシャッターが開くことによって行っているため、文字等がボケた状態は表示できないという問題がある。
【０００４】
そこで、本考案はこのような課題を解決するもので、文字や図形がボケた状態からクリアに視認できる状態へ、またその逆へとスムーズに移行する斬新な表示を、簡単な構造で実現した遊技機の表示装置を提供することを目的とする。
【課題を解決するための手段】
【０００５】
上記目的を達成するために、本考案では、一対の透光部材（１，２）を前後位置に設けて、対向する前側透光部材（１）の後面（１ｂ）および後側透光部材（２）の前面（２ａ）に、互いに合致する相補的形状の凹凸部（３１，３２）をそれぞれ形成し、両凹凸部（３１，３２）が合致する位置と両凹凸部（３１，３２）の合致が解消される位置との間で透光部材（１，２）の少なくとも一方を他方に対して移動させる駆動手段（４３）を設けるとともに、後側透光部材（２）の後面（２ｂ）ないしその後方に被視体（５）を設ける。
【０００６】
本考案において、前後の透光部材がその凹凸部の合致を解消する位置に移動していると、被視体から発した光は、上記凹凸部で屈折ないし反射させられる。このため表示装置を前方より見ると、被視体上の数字や図形はボケた状態で明確には認識できない。一方、両透光部材をその凹凸部が互いに合致する位置に移動させると、この部分での屈折や反射が実質的に無くなるために、被視体上の数字や図形が明確に認識できるようになる。
【０００７】
ここで、上記前側透光部材（１）の前面（１ａ）および後側透光部材（２）の後面（２ｂ）は互いに平行な平面に成形することができる。これにより、両凹凸部が合致した状態ではこの部分での屈折や反射が実質的に無くなるから、密着した両透光部材は平行平板となり、被視体上の数字や図形を同大でクリアに視認することができる。
【０００８】
また、上記凹凸部（３１，３２）は同心状の波型断面に成形することができる。これによれば、凹凸部の成形が容易であり、水の波紋の演出を行う場合等に有効である。
【０００９】
さらに、上記駆動手段は、前側透光部材（１）を、両凹凸部（３１，３２）を合致させて後側透光部材（２）に密着する位置と、後側透光部材（２）から離間した後方位置との間で直線的に移動させるものとすることができる。これによれば、移動機構を簡易に実現することができる。また、前後方向へ移動させるのみなので、装置全体の設置面積をコンパクトにすることができる。
【００１０】
また、上記被視体は後側透光部材（２）の後面（２ｂ）に設けた表示器（５）とすることができる。これによれば、両凹凸部が合致した状態で、被視体上の数字や図形をよりクリアに視認することができる。
【００１１】
なお、上記カッコ内の符号は、後述する実施形態に記載の具体的手段との対応関係を示すものである。
【考案の効果】
【００１２】
以上のように、本考案の遊技機の表示装置によれば、文字や図形がボケた状態からクリアに視認できる状態へ、またその逆へとスムーズに移行する斬新な表示を、簡単な構造で実現することができる。
【考案を実施するための最良の形態】
【００１３】
（第１実施形態）
図１、図２には表示装置Ｄの構造の一例を示し、図１はその斜視図、図２はその部分断面の平面図である。各図において、一対の透光部材１，２が前後位置に配設されており、これら透光部材１，２は樹脂やガラス製の厚肉円形板体である。前側透光部材１の前面１ａと後側透光部材２の後面２ｂは互いに平行な平面となっており、一方、互いに対向する前側透光部材１の後面１ｂと後側透光部材２の前面２ａには凹凸部３１，３２が形成されている。これら凹凸部３１，３２は、本実施形態では、同心円状の複数の波型断面によって構成されている。そして、透光部材１，２の両凹凸部３１，３２は、一方が波型断面の凸部であるのに対し、対応する他方は上記波型断面凸部が嵌入できる波型断面の凹部となって（図２）、互いに相補的で合致可能な形状となっている。
【００１４】
前側透光部材１には外周面の左右位置にピン部材４１が突設され、これらピン部材４１を介して前側透光部材１は透光部材１，２の左右位置に設けられたラック板４２に結合されている。ラック板４２は前後方向へ直線移動可能にガイドされるとともに、その下面には長手方向へ歯形４２１が形成されている。歯形４２１にはそれぞれ、モータ４３（図２）によって同時に正逆回転させられるピニオン歯車４４（図１）が噛合している。後側透光部材２の後面２ｂには、これに表示面が接合されて被視体としてのセブンセグメント数字表示器５が設けられている。なお、被視体としては数字表示器５に限らず、図形を表示するもの（例えばＬＣＤ等）であっても良い。
【００１５】
このような構造の表示装置Ｄは前側透光部材１を遊技者に向けて遊技機前面の、例えば図３に示すような、液晶表示画面Ｌの右上コーナ部に設けられる。表示装置Ｄの前後の透光部材１，２が離れている状態（図４（１））では、上記数字表示器５から発した光は、前後の透光部材１，２の後面１ｂないし前面２ａに形成された凹凸部３１，３２で屈折ないし反射させられる。そこで、表示装置を前方より見ると、図５（１）に示すように、数字表示器５によって表示された数字はボケた状態で明確には認識できない。この状態でモータ４３によりピニオン歯車４４を回転させて前側透光部材１を後側透光部材２に向けて接近移動させ、両透光部材１，２の凹凸部３１，３２を互いに嵌入合致させる（図４（２））。前側透光部材１が後側透光部材２に接近していく過程でボケた表示は次第にクリアとなり、両透光部材１，２の凹凸部３１，３２が互いに合致すると、この部分での屈折や反射が実質的に無くなるために、図５（２）に示すように、数字表示器５によって表示された例えば数字「７」が明確に認識できるようになる。
【００１６】
このように、前側透光部材１を後側透光部材２に対し相対直線移動させて、両者を密着させることによりその凹凸部３１，３２を合致させ、あるいは両者を離間させて凹凸部の合致を解消させる簡易な構造により、文字や図形がボケた状態からクリアに視認できる状態へ、またその逆へとスムーズに移行する斬新な表示が可能となり、遊技の興趣を大きく向上させることができる。
【００１７】
（その他の実施形態）
前後の透光部材１，２の凹凸部３１，３２は上記第１実施形態で示したような相補的な波型断面に限られず、例えば図６、図７に示す平面視が渦巻き形状で急峻な山形断面のものと、これと相補的で合致可能な形状のものの組み合わせや、図８、図９に示す平面視が放射形状で半円山形断面のものと、これと相補的で合致可能な形状のものの組み合わせが使用できる。あるいは、図１０、図１１に示す、台形断面部を格子状に並べたものと、これと相補的で合致可能な形状のものの組み合わせや、図１２に示すような三角錐を隣接させて多数並べた形状としたものと、これと相補的で合致可能な形状のものの組み合わせ、その他種々の形状を凹凸部３１，３２として使用して、表示の興趣を向上させることができる。
【００１８】
被視体５としては後側透光部材２の後面２ｂに貼着できる、絵柄を描いた薄板のようなものであっても良く、これによれば、構成部材の点数を削減して表示装置の構造をより簡易なものとできる。この場合、前側透光部材１の後面１ｂにも被視体としての絵柄を描いた薄板を貼着して、両透光部材１，２が密着し凹凸部３１，３２が合致した状態で一つの図柄が表示されるようにすると、より表示の興趣が向上する。被視体５としては上記薄板以外に、シール図柄、印刷図柄や立体的なフィギュア等が使用できる。上記第１実施形態では後側透光部材２を固定し、前側透光部材１を相対直線移動させるようにしたが、前側透光部材１を固定して、後側透光部材２を移動させるようにしても良い。あるいは、両透光部材１，２を互いに相対移動させても良く、これによれば移動の効率を向上させることができる。
【００１９】
上記第１実施形態において、例えばピン部材４１の、ラック板４２との結合部外周にゴム材等を介設して、前側透光部材１が左右上下方向へある程度移動できるようにしておくと、透光部材２との間に多少の位置ずれがあっても凹凸部３１，３２を確実に合致させることができる。また、駆動手段としてはモータ４３に限らず、ソレノイドや形状記憶合金を使用することができる。さらに、後側透光部材２の後方にバックライト等を設けることもできる。
【００２０】
透光部材１，２の移動位置を検出することにより、ボケかクリアかの二値的制御ではなく、表示の所望のボケ程度を得るような移動位置に透光部材１，２を移動させる制御を行うようにしても良い。また、透光部材１，２の移動は直線移動に限られず、例えば凹凸部３１，３２が合致する位置と合致を解消する位置との間の移動を、両透光部材１，２の相対直線移動と相対回転移動の組合せで行うようにしても良い。
【００２１】
上記第１実施形態では被視体５を後側透光部材２の後面２ｂに設けたが、当該透光部材２から離れた後方へ設けるようにしても良い。また、第１実施形態では、凹凸部３１，３２が合致して前後の透光部材１，２が密着した状態で、これらは全体として厚肉平板形状になっているが、これ以外の、例えば凸レンズ形状となるようにして被視体５上の表示が拡大表示されるようにしても良い。
【図面の簡単な説明】
【００２２】
【図１】本考案の第１実施形態における表示装置の構造の一例を示す斜視図である。
【図２】表示装置の構造の一例を示す部分断面平面図である。
【図３】表示装置を設けた遊技機前面の拡大正面図である。
【図４】前後の透光部材の位置関係を示す断面図である。
【図５】表示装置による表示の一例を示す前側透光部材の正面図である。
【図６】本考案の他の実施形態における前側透光部材の後面図である。
【図７】本考案の他の実施形態における前側透光部材の断面図で、図６のVII−VII線に沿った断面図である。
【図８】本考案のさらに他の実施形態における前側透光部材の後面図である。
【図９】本考案のさらに他の実施形態における前側透光部材の断面図で、図８のIX−IX線に沿った断面図である。
【図１０】本考案のさらに他の実施形態における前側透光部材の後面図である。
【図１１】本考案のさらに他の実施形態における前側透光部材の断面図で、図１０のXI−XI線に沿った断面図である。
【図１２】本考案のさらに他の実施形態における前側透光部材の後面図である。
【符号の説明】
【００２３】
１…前側透光部材、１ａ…前面、１ｂ…後面、２…後側透光部材、２ａ…前面、２ｂ…後面、３１，３２…凹凸部、４３…モータ（駆動手段）、５…セブンセグメント数字表示器（被視体）、Ｄ…表示装置。
【図１】
0003129904.tif 000003
【図２】
0003129904.tif 000004
【図３】
0003129904.tif 000005
【図４】
0003129904.tif 000006
【図５】
0003129904.tif 000007
【図６】
0003129904.tif 000008
【図７】
0003129904.tif 000009
【図８】
0003129904.tif 000010
【図９】
0003129904.tif 000011
【図１０】
0003129904.tif 000012
【図１１】
0003129904.tif 000013
【図１２】
0003129904.tif 000014